(57)【要約】【課題】ディスプレイに表示されている画像がユーザを向いていなくても、ユーザによる入力操作を行い易くする、ことを目的とする。【解決手段】ノートＰＣ１は、ユーザが入力操作を行うための入力部４を有する本体側筐体２と、タッチパネルディスプレイ７を有するディスプレイ側筐体３と、を備え、タッチパネルディスプレイ７に表示される画像を所定角度で回転させる。そして、ノートＰＣ１は、タッチパネルディスプレイ７に表示される画像が所定角度に回転した状態において、ユーザが入力操作を行うタイミングを検知した場合に、タッチパネルディスプレイ７に表示されている画像の向きとは異なる予め設定した方向を向くように、入力操作の対象となる入力フィールドを表示させる。【選択図】図６
2017224233.tif 000002
【特許請求の範囲】
【請求項１】
画像を表示するディスプレイを有する情報処理装置であって、
ユーザが入力操作を行うタイミングを検知するタイミング検知手段と、
前記タイミング検知手段によって前記タイミングが検知された場合に、前記ディスプレイに表示されている画像の向きとは異なる予め設定した方向を向くように、前記入力操作の対象となる入力領域を表示させる入力領域表示手段と、
を備える情報処理装置。
【請求項２】
ユーザが入力操作を行うための入力部を有する第１筐体と、
前記ディスプレイを有する第２筐体と、
前記ディスプレイに表示される画像を所定角度で回転させる表示画像回転手段と、
を備え、
前記入力領域表示手段は、前記ディスプレイに表示される画像が前記所定角度に回転した状態において、前記タイミング検知手段によって前記タイミングが検知された場合に、前記入力領域を前記予め設定した方向を向くように表示させる請求項１記載の情報処理装置。
【請求項３】
前記予め設定した方向は、前記入力部の方向である請求項２記載の情報処理装置。
【請求項４】
前記入力領域表示手段は、前記タイミングが検知された場合に、前記入力領域をポップアップ表示させる請求項１から請求項３の何れか１項記載の情報処理装置。
【請求項５】
前記入力領域表示手段は、前記タイミングが検知された場合に、前記ディスプレイに表示されている画像全体を回転させる請求項１から請求項３の何れか１項記載の情報処理装置。
【請求項６】
画像を表示するディスプレイを有する情報処理装置の入力方法であって、
ユーザが入力操作を行うタイミングを検知する第１工程と、
前記タイミングを検知した場合に、前記ディスプレイに表示されている画像の向きとは異なる予め設定した方向を向くように、前記入力操作の対象となる入力領域を表示させる第２工程と、
を有する入力方法。
【請求項７】
画像を表示するディスプレイを有する情報処理装置が備えるコンピュータを、
ユーザが入力操作を行うタイミングを検知するタイミング検知手段と、
前記タイミング検知手段によって前記タイミングが検知された場合に、前記ディスプレイに表示されている画像の向きとは異なる予め設定した方向を向くように、前記入力操作の対象となる入力領域を表示させる入力領域表示手段と、
して機能させるプログラム。
【発明の詳細な説明】
【技術分野】
【０００１】
本発明は、情報処理装置、入力方法、及びプログラムに関するものである。
【背景技術】
【０００２】
ノートパソコン（以下「ノートＰＣ」という。）は、一例として、キーボート等の入力部が設けられている本体側筐体と、ディスプレイ等が設けられているディスプレイ側筐体とがヒンジによって接続されている。これにより、本体側筐体に対してディスプレイ側筐体が回転可能とされている。
【０００３】
このような例として、特許文献１には、本体側筐体とディスプレイ側筐体との間を、各筐体の表面同士が対面する０度位置から各筐体の表面がそれぞれ同一方向を向いて互いに平行する１８０°位置を経て、各筐体の背面同士が対面する３６０°位置まで回動可能に連結するヒンジ機構が開示されている。
【０００４】
本体側筐体とディスプレイ側筐体とを１８０°に開く場合とは、例えば、本体側筐体の方向に位置しているユーザが、ディスプレイ側筐体の方向に位置する人に対してプレゼンテーションを行う場合である。プレゼンテーションが行われる場合には、ディスプレイ側筐体の方向に位置する人がプレゼンテーションの内容を理解し易くなるように、ディスプレイに表示される画像を所定角度（例えば１８０°）に回転させる機能を有するノートＰＣもある。
【先行技術文献】
【特許文献】
【０００５】
【特許文献１】特開２０１６−３８０４０号公報
【発明の概要】
【発明が解決しようとする課題】
【０００６】
しかしながら、ディスプレイに表示される画像が１８０°回転されると、本体側筐体の方向に位置しているユーザは、画像がユーザ側を向いていないために文字入力等の入力操作を行い難い。
【０００７】
本発明は、このような事情に鑑みてなされたものであって、ディスプレイに表示されている画像がユーザを向いていなくても、ユーザによる入力操作を行い易くする、情報処理装置、入力方法、及びプログラムを提供することを目的とする。
【課題を解決するための手段】
【０００８】
上記課題を解決するために、本発明の情報処理装置、入力方法、及びプログラムは以下の手段を採用する。
【０００９】
本発明の第一態様に係る情報処理装置は、画像を表示するディスプレイを有する情報処理装置であって、ユーザが入力操作を行うタイミングを検知するタイミング検知手段と、前記タイミング検知手段によって前記タイミングが検知された場合に、前記ディスプレイに表示されている画像の向きとは異なる予め設定した方向を向くように、前記入力操作の対象となる入力領域を表示させる入力領域表示手段と、を備える。
【００１０】
本発明の第二態様に係る入力方法は、画像を表示するディスプレイを有する情報処理装置の入力方法であって、ユーザが入力操作を行うタイミングを検知する第１工程と、前記タイミングを検知した場合に、前記ディスプレイに表示されている画像の向きとは異なる予め設定した方向を向くように、前記入力操作の対象となる入力領域を表示させる第２工程と、を有する。
【００１１】
本発明の第三態様に係るプログラムは、画像を表示するディスプレイを有する情報処理装置が備えるコンピュータを、ユーザが入力操作を行うタイミングを検知するタイミング検知手段と、前記タイミング検知手段によって前記タイミングが検知された場合に、前記ディスプレイに表示されている画像の向きとは異なる予め設定した方向を向くように、前記入力操作の対象となる入力領域を表示させる入力領域表示手段と、して機能させる。
【発明の効果】
【００１２】
本発明によれば、ディスプレイに表示されている画像がユーザを向いていなくても、ユーザによる入力操作を行い易くする、という効果を有する。
【図面の簡単な説明】
【００１３】
【図１】本発明の実施形態に係るノートＰＣの外観図である。
【図２】本発明の実施形態に係るノートＰＣのハードウェアの構成を示す概略図である。
【図３】本発明の実施形態に係るフラットモードにおいてＬＣＤ画面全体が回転した状態を示す図である。
【図４】本発明の実施形態に係るフリップモードに関する機能ブロック図である。
【図５】本発明の実施形態に係るフリップモードによって入力フィールドが回転した状態を示す図である。
【図６】本発明の実施形態に係るフリップモードによって入力フィールドがポップアップ表示された状態を示す図である。
【図７】本発明の実施形態に係るフリップモードによってＬＣＤ画面全体が回転した状態を示す図である。
【図８】本発明の実施形態に係るフリップモードがオンとされた場合の処理の流れを示すフローチャートである。
【図９】本発明の実施形態に係るタブレット端末がプレゼンテーションに用いられている場合の外観図である。
【図１０】本発明の実施形態に係るタブレット端末において、入力フィールドがポップアップ表示された状態を示す図である。
【発明を実施するための形態】
【００１４】
以下に、本発明に係る情報処理装置、入力方法、及びプログラムの一実施形態について、図面を参照して説明する。なお、本実施形態では、情報処理装置をノートＰＣとする。
【００１５】
図１は、本実施形態に係るノートＰＣ１の概略外観図である。
【００１６】
ノートＰＣ１は、図１に示すように一例として、いずれも略直方体である本体側筐体２及びディスプレイ側筐体３を備える。
【００１７】
本体側筐体２は、入力部４を備える。入力部４は、ユーザが入力操作を行うためのユーザインターフェースであり、文字、コマンド等を入力する各種キーより構成されるキーボードや、画面上のカーソルを移動させたり、各種メニューを選択するタッチパッド、マウス、又はトラックポイント等を備えている。
【００１８】
ディスプレイ側筐体３は、画像を表示するタッチパネルディスプレイ７を備える。
【００１９】
タッチパネルディスプレイ７は、入力される表示データをビデオ信号に変換し、変換したビデオ信号に応じた各種情報を表示画面に表示すると共に、ユーザの指及びタッチペン等の指示体を用いて行われる各種操作を検知する。
【００２０】
本体側筐体２及びディスプレイ側筐体３は、それぞれの端部で左右一対の連結部８ａ，８ｂによって連結されている。連結部８ａ，８ｂは、ヒンジであり、本体側筐体２及びディスプレイ側筐体３を開閉自在に支持している。
【００２１】
図２は、ノートＰＣ１のハードウェアの構成を示す概略図である。
【００２２】
ノートＰＣ１は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、入力コントローラ２６、フラッシュメモリ２７、通信デバイス２８、及び電源回路２９を備えており、各部はバス３０を介して直接または間接的に接続されている。なお、タッチパネルディスプレイ７は、ＬＣＤ２３とタッチセンサ２５を含んで構成される。
【００２３】
ＣＰＵ２０は、フラッシュメモリ２７に格納されたＯＳ（Operating  System）によりノートＰＣ１全体の制御を行うと共に、フラッシュメモリ２７に格納された各種のプログラムに基づいて、入力部４やタッチパネルディスプレイ７等を介したユーザの操作に応じた処理を実行する機能を有する。
【００２４】
ＲＯＭ２１は、ＢＩＯＳ（Basic  Input/Output  System）や各種データ等を格納している。
【００２５】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００２６】
ＬＣＤ２３は、ＣＰＵ２０の制御に従って、グラフィクスアダプタ２４からのビデオ信号を画像として表示する。
【００２７】
グラフィクスアダプタ２４は、ＣＰＵ２０の制御に従って、表示情報をビデオ信号に変換し、変換したビデオ信号をＬＣＤ２３に出力する。
【００２８】
タッチセンサ２５は、ＬＣＤ２３に対するユーザの指及びタッチペン等のタッチ位置を検知して、入力コントローラ２６に出力する。そして、タッチセンサ２５は、ＬＣＤ２３の画面に表示される各種メニュー、アイコン、ボタン、及びキーボード等の画面オブジェクトを選択して入力操作を行ったり、テキストの入力操作や、スクロールやスワイプ等の画面操作がユーザの指やタッチペン等により行われる。
【００２９】
入力コントローラ２６は、プロセッサがＲＯＭ２１等に格納されたプログラムを実行することにより各種処理を行い、タッチセンサ２５の動作を制御する。
【００３０】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００３１】
通信デバイス２８は、他のデバイスとの間との通信を行う。
【００３２】
電源回路２９は、ＡＣアダプタ、インテリジェント電池、インテリジェント電池を充電するための充電器、及びＤＣ／ＤＣコンバータ等を備えており、ＣＰＵ２０の制御に従って、各デバイスに電力を供給する。
【００３３】
本実施形態に係るノートＰＣ１は、連結部８ａ，８ｂによって、本体側筐体２とディスプレイ側筐体３とを平面状に開くことが可能とされている。ここでいう平面状とは、本体側筐体２とディスプレイ側筐体３とを略１８０°に開くことである。また、ノートＰＣ１が、平面状に開かれる状態をフラットモードという。
【００３４】
ノートＰＣ１をフラットモードとする場合とは、例えば、本体側筐体２の方向に位置しているユーザ（発表者ともいう。）が、ディスプレイ側筐体３の方向に位置する人（閲覧者ともいう。）に対してプレゼンテーションを行う場合である。プレゼンテーションが行われる場合には、閲覧者がプレゼンテーションの内容を理解し易いように、タッチパネルディスプレイ７に表示される画像（以下「ＬＣＤ画面」という。）７Ａ全体を閲覧者の方向を向くように所定角度で回転させる。なお、以下の説明において、ＬＣＤ画面７Ａが回転せずに、発表者側を向いている状態を０°と定義する。
【００３５】
図３は、フラットモードにおいてＬＣＤ画面７Ａ全体が回転した状態を示す図である。図３の例では、閲覧者が発表者の正面に位置している場合であり、ＬＣＤ画面７Ａは発表者に対して１８０°回転している。なお、ＬＣＤ画面７Ａの回転角度は予め設定されている。例えば、閲覧者が発表者の右隣に位置している場合には９０°とし、閲覧者が発表者の左隣に位置している場合には２７０°とてもよい。この回転角度を設定回転角度という。
【００３６】
しかしながら、ＬＣＤ画面７Ａが回転されると、本体側筐体２の方向に位置している発表者は、ＬＣＤ画面７Ａが発表者側を向いていないために文字入力等の入力操作を行い難い。
【００３７】
そこで、本実施形態に係るノートＰＣ１は、発表者による入力操作を行うタイミングを検知した場合に、入力操作の対象となる入力領域（以下「入力フィールド」という。）をＬＣＤ画面７Ａの向きとは異なる予め設定した方向を向くように表示させる処理を行う。以下の説明において、この処理をフリップモードという。
【００３８】
なお、ここでいう入力操作とは、文字入力、図形描画、写真等の他の画像の添付、及び文字や図形の編集や削除等も含む。入力フィールドは、表計算ソフトウェアのセルや、文章作成ソフトウェアの文章書き込み領域、図形描画ソフトウェアの図形描画領域である。また、ＬＣＤ画面７Ａの向きとは異なる予め設定した方向とは、一例として、入力部４の方向であり、換言すると０°である。
【００３９】
図４は、フリップモードに関する機能ブロック図である。
【００４０】
ＣＰＵ２０は、開度検知部５０、フラットモード判定部５２、ＬＣＤ画像回転制御部５４、フリップモード設定部５６、タイミング検知部５８、及び入力フィールド表示制御部６０を備える。ＣＰＵ２０が備える各構成部は、コンピュータプログラムによって実現される。
【００４１】
開度検知部５０は、本体側筐体２とディスプレイ側筐体３との開度を検知する。なお、開度は、例えば、ディスプレイ側筐体３に設けられた加速度センサ等のセンサによってディスプレイ側筐体３の傾きを測定することで検知されてもよいし、従来既知の他の手法によって検知されてもよい。
【００４２】
フラットモード判定部５２は、開度検知部５０によって検知された角度がフラットモードとされる角度（約１８０°）であるか否かを判定する。
【００４３】
ＬＣＤ画像回転制御部５４は、フラットモードの場合に、ＬＣＤ画面７Ａ全体を設定回転角度で回転させる。このように、ＬＣＤ画面７Ａ全体が設定回転角度で回転した状態は、ＬＣＤ画面７Ａ全体が発表者の方向を向いていない状態である。なお、フラットモードであってもＬＣＤ画面７Ａを回転させない設定も可能とされているが、この場合は、フリップモードは機能しない。
【００４４】
フリップモード設定部５６は、ユーザの操作によって、フリップモードのオン又はオフを設定する。
【００４５】
タイミング検知部５８及び入力フィールド表示制御部６０は、フリップモードがオンとなっている場合に機能する。
【００４６】
タイミング検知部５８は、ディスプレイに表示されている入力フィールドに対してユーザが入力操作を行うタイミングである入力開始タイミングを検知する。入力開始タイミングは、例えば、マウスカーソルによって入力フィールド（例えばセル６１）が選択されたタイミング、又は、入力箇所の先頭をダブルクリックしたタイミング等である。さらに、予め設定されたキー操作が行われたタイミングや、タッチパネルディスプレイ７に予め表示されているボタンを押したタイミング等が、入力開始タイミングとされてもよい。
【００４７】
また、タイミング検知部５８は、入力フィールドへの入力操作が終了したタイミングである入力終了タイミングも検知する。入力終了タイミングとは、入力操作を行った箇所の終端をダブルクリックしたタイミング、予め設定されたキー操作が行われたタイミングや、タッチパネルディスプレイ７に予め表示されているボタンを押したタイミング等である。また、ノートＰＣ１が、フラットモード以外の角度となったタイミングを入力終了タイミングとしてもよい。
【００４８】
入力フィールド表示制御部６０は、タイミング検知部５８によって入力タイミングが検知された場合に、入力開始タイミングをトリガとして、入力フィールドを入力部４の方向を向くように表示させる。これにより、発表者による入力操作が行われる場合に、入力フィールドが一時的に発表者の方向を向くこととなるので、発表者は、入力フィールドに対する入力操作が行い易くなる。
【００４９】
図５は、フリップモードによって入力フィールドが入力部４の方向を向いた状態を示す図である。図５の例では、入力フィールドとして表計算ソフトのセル６１が例示されており、ＬＣＤ画面７Ａの一部であるセル６１そのものが回転する。
【００５０】
図６は、入力フィールドをポップアップ表示させた例である。図６の例では、入力開始タイミングが検知されると、図５のようにセル６１そのものは回転せずに、テキストボックスとして機能するポップアップ・ウィンドウ６２が入力部４の方向を向いて表示される。発表者は、表示されたポップアップ・ウィンドウ６２に対して入力操作を行い、その内容がＬＣＤ画面７Ａに反映される。
【００５１】
また、図７に示されるように、フリップモードではＬＣＤ画面７Ａ全体が入力部４の方向を向くように回転してもよい。特に、タッチパネルディスプレイ７に表示されている図を入力（編集）する場合等、セル６１等の部分的な回転やポップアップ・ウィンドウ６２を用いた入力ができない場合に、ＬＣＤ画面７Ａ全体を回転させてもよい。換言すると、入力対象によって、回転させる対象が異なり、例えば、図形描画ソフトウェアが起動している場合に、図形描画領域をダブルクリックした入力開始タイミングでＬＣＤ画面７Ａ全体が回転する。
【００５２】
また、入力フィールド表示制御部６０は、入力終了タイミングで、ＬＣＤ画面７Ａを入力操作が反映された状態とする。例えば、図５の例では、入力フィールドが元の方向（閲覧者の方向）を向くように表示される。図６の例では、入力フィールドであるポップアップ・ウィンドウ６２が消える。図７の例では、ＬＣＤ画面７Ａ全体が元の方向（閲覧者の方向）を向くように表示される。これにより、閲覧者は、入力操作がされた後のＬＣＤ画面７Ａの内容を容易に理解できる。
【００５３】
次に、図８を参照してフリップモードがオンとされた場合の処理について説明する。
【００５４】
まず、ステップ１００では、ノートＰＣ１がフラットモードであるか否かを判定し、肯定判定の場合にステップ１０２へ移行する。
【００５５】
ステップ１０２では、ＬＣＤ画面７Ａ全体を設定回転角度に回転させる。これにより、ＬＣＤ画面７Ａ全体が入力操作を行う発表者の方向を向いていない状態となる。
【００５６】
次のステップ１０４では、入力開始タイミングを検知したか否かを判定し、肯定判定の場合にステップ１０６へ移行する。
【００５７】
次のステップ１０６では、入力フィールドを入力部４の方向を向くように表示させる。
【００５８】
次のステップ１０８では、入力終了タイミングを検知したか否かを判定し、肯定判定の場合にステップ１１０へ移行する。
【００５９】
ステップ１１０では、入力フィールドを元の方向（閲覧者の方向）を向くように表示させ、ステップ１０４へ戻り、フリップモードがオフとされるか、ノートＰＣ１がフラットモード以外の角度となるまで、処理を繰り返す。
【００６０】
以上説明したように、本実施形態に係るノートＰＣ１は、ユーザが入力操作を行うための入力部４を有する本体側筐体２と、タッチパネルディスプレイ７を有するディスプレイ側筐体３と、を備え、タッチパネルディスプレイ７に表示される画像を所定角度で回転させる。そして、ノートＰＣ１は、ユーザが入力操作を行うタイミングを検知した場合に、入力操作の対象となる入力フィールドをＬＣＤ画面７Ａの向きとは異なる予め設定した方向を向くように表示させる。
【００６１】
従って、ノートＰＣ１は、ユーザによる入力操作が行われる場合に、入力フィールドが一時的に発表者の方向を向くこととなるので、タッチパネルディスプレイ７に表示されている画像がユーザを向いていなくても、ユーザによる入力操作を行い易くできる。
【００６２】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００６３】
例えば、上記実施形態では、本体側筐体２が有するキーボードを物理キーボードとする形態について説明したが、本発明は、これに限定されるものではない。例えば、本体側筐体２もタッチパネルディスプレイ７を備え、入力部４として物理キーボードの代わりにタッチパネルディスプレイ７にソフトウェアキーボードが表示される形態としてもよい。
【００６４】
また、本体側筐体２もタッチパネルディスプレイ７を備えている形態では、本体側筐体２とディスプレイ側筐体３とが切り離されて使用可能とされてもよい。
【００６５】
また、上記実施形態では、情報処理装置をノートＰＣ１とする形態について説明したが、本発明は、これに限定されるものではなく、情報処理装置を図９，１０に示すように一つのタッチパネルディスプレイ７を備えるタブレット端末７０としてもよい。
【００６６】
図９は、タブレット端末７０がプレゼンテーションに用いられている場合の外観図である。図９の例では、ＬＣＤ画面７Ａ全体が閲覧者の方向を向いている。そして、フリップモードがオンとされると、ユーザが入力操作を行う場合に押されるボタン７２がＬＣＤ画面７Ａに表示される。
【００６７】
すなわち、フリップモードがオンとされた状態は、ＬＣＤ画面７Ａ全体が入力操作を行うユーザである発表者の方向を向いていない状態である。そして、ボタン７２が押されたタイミングが、発表者が入力操作を行うタイミングとして検知され、タッチパネルディスプレイ７に表示されている入力フィールドが予め設定した方向を向くように表示される。
【００６８】
図１０は、フリップモードとして、入力フィールドがポップアップ・ウィンドウ６２として表示された場合を示す図である。
【００６９】
タッチパネルディスプレイ７にポップアップ・ウィンドウ６２が表示されると、それと共に、ソフトウェアキーボード７４が表示される。ポップアップ・ウィンドウ６２とソフトウェアキーボード７４は発表者の方向を向く。すなわち、図１０の例では、ポップアップ・ウィンドウ６２とソフトウェアキーボード７４は、ＬＣＤ画面７Ａ全体に対して１８０°回転した向きで表示される。
【００７０】
なお、ソフトウェアキーボード７４を表示させるために、それまでタッチパネルディスプレイ７に表示されていた画像は縮小表示される。
【００７１】
また、フリップモードは、図１０に示すポップアップ・ウィンドウ６２を表示する代わりに、入力フィールドそのものを回転させたり、ＬＣＤ画面７Ａ全体を回転させてもよい。
【００７２】
そして、例えば、再びボタン７２が押されると、入力終了タイミングとして検知され、ポップアップ・ウィンドウ６２及びソフトウェアキーボード７４を消し、入力操作が反映された元の表示に戻される。
【００７３】
また、上記実施形態で説明したフリップモードがオンとされた場合の処理の流れも一例であり、本発明の主旨を逸脱しない範囲内において不要なステップを削除したり、新たなステップを追加したり、処理順序を入れ替えたりしてもよい。
【符号の説明】
【００７４】
１    ノートＰＣ（情報処理装置）
２    本体側筐体（第１筐体）
３    ディスプレイ側筐体（第２筐体）
４    入力部
７    タッチパネルディスプレイ（ディスプレイ）
５４  ＬＣＤ画像回転制御部（表示画像回転手段）
５８  タイミング検知部（タイミング検知手段）
６０  入力フィールド表示制御部（入力領域表示手段）
７０  タブレット端末（情報処理装置）
【図１】
2017224233.tif 000003
【図２】
2017224233.tif 000004
【図３】
2017224233.tif 000005
【図４】
2017224233.tif 000006
【図５】
2017224233.tif 000007
【図６】
2017224233.tif 000008
【図７】
2017224233.tif 000009
【図８】
2017224233.tif 000010
【図９】
2017224233.tif 000011
【図１０】
2017224233.tif 000012
【手続補正書】
【提出日】平成29年3月7日(2017.3.7)
【手続補正１】
【補正対象書類名】特許請求の範囲
【補正対象項目名】請求項１
【補正方法】変更
【補正の内容】
【請求項１】
画像を表示するディスプレイを有する情報処理装置であって、
ユーザが入力操作の対象となる入力領域を選択するための入力領域選択手段と、
ユーザが入力操作を行うタイミングを検知するタイミング検知手段と、
前記タイミング検知手段によって前記タイミングが検知された場合に、前記入力領域選択手段によって選択された前記入力領域の表示方向を予め設定した方向に変更する入力領域表示手段と、
を備える情報処理装置。
【手続補正２】
【補正対象書類名】特許請求の範囲
【補正対象項目名】請求項６
【補正方法】変更
【補正の内容】
【請求項６】
画像を表示するディスプレイを有する情報処理装置の入力方法であって、
ユーザが入力操作の対象となる入力領域を選択する第１工程と、
ユーザが入力操作を行うタイミングを検知する第２工程と、
前記タイミングを検知した場合に、前記第１工程によって選択された前記入力領域の表示方向を予め設定した方向に変更する第３工程と、
を有する入力方法。
【手続補正３】
【補正対象書類名】特許請求の範囲
【補正対象項目名】請求項７
【補正方法】変更
【補正の内容】
【請求項７】
画像を表示するディスプレイを有する情報処理装置が備えるコンピュータを、
ユーザが入力操作の対象となる入力領域を選択するための入力領域選択手段と、
ユーザが入力操作を行うタイミングを検知するタイミング検知手段と、
前記タイミング検知手段によって前記タイミングが検知された場合に、前記入力領域選択手段によって選択された前記入力領域の表示方向を予め設定した方向に変更する入力領域表示手段と、
して機能させるプログラム。
【手続補正４】
【補正対象書類名】明細書
【補正対象項目名】０００９
【補正方法】変更
【補正の内容】
【０００９】
本発明の第一態様に係る情報処理装置は、画像を表示するディスプレイを有する情報処理装置であって、ユーザが入力操作の対象となる入力領域を選択するための入力領域選択手段と、ユーザが入力操作を行うタイミングを検知するタイミング検知手段と、前記タイミング検知手段によって前記タイミングが検知された場合に、前記入力領域選択手段によって選択された前記入力領域の表示方向を予め設定した方向に変更する入力領域表示手段と、を備える。
【手続補正５】
【補正対象書類名】明細書
【補正対象項目名】００１０
【補正方法】変更
【補正の内容】
【００１０】
本発明の第二態様に係る入力方法は、画像を表示するディスプレイを有する情報処理装置の入力方法であって、ユーザが入力操作の対象となる入力領域を選択する第１工程と、ユーザが入力操作を行うタイミングを検知する第２工程と、前記タイミングを検知した場合に、前記第１工程によって選択された前記入力領域の表示方向を予め設定した方向に変更する第３工程と、を有する。
【手続補正６】
【補正対象書類名】明細書
【補正対象項目名】００１１
【補正方法】変更
【補正の内容】
【００１１】
本発明の第三態様に係るプログラムは、画像を表示するディスプレイを有する情報処理装置が備えるコンピュータを、ユーザが入力操作の対象となる入力領域を選択するための入力領域選択手段と、ユーザが入力操作を行うタイミングを検知するタイミング検知手段と、前記タイミング検知手段によって前記タイミングが検知された場合に、前記入力領域選択手段によって選択された前記入力領域の表示方向を予め設定した方向に変更する入力領域表示手段と、して機能させる。
【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
画像を表示するディスプレイを有する情報処理装置であって、
ユーザによる入力操作が行われた場合に、該入力操作が行われた所定領域を、ユーザの前記入力操作を反映させる入力領域として選択する入力領域選択手段と、
ユーザによる前記入力操作の開始のタイミングを検知するタイミング検知手段と、
前記タイミング検知手段によって前記タイミングが検知された場合に、前記入力領域選択手段によって選択された前記入力領域の表示方向を予め設定した方向に変更し、前記入力領域におけるユーザによる前記入力操作が終了した場合に、前記入力領域の表示方向を元の方向に戻し、前記入力領域におけるユーザによる前記入力操作を反映させる入力領域表示手段と、
を備える情報処理装置。
【請求項２】
ユーザが入力操作を行うための入力部を有する第１筐体と、
前記ディスプレイを有する第２筐体と、
前記ディスプレイに表示される画像を所定角度で回転させる表示画像回転手段と、
を備え、
前記入力領域表示手段は、前記ディスプレイに表示される画像が前記所定角度に回転した状態において、前記タイミング検知手段によって前記タイミングが検知された場合に、前記入力領域を前記予め設定した方向を向くように表示させる請求項１記載の情報処理装置。
【請求項３】
前記予め設定した方向は、前記入力部の方向である請求項２記載の情報処理装置。
【請求項４】
前記入力領域表示手段は、前記タイミングが検知された場合に、前記入力領域をポップアップ表示させ、ポップアップ表示した前記入力領域におけるユーザによる前記入力操作が終了した場合に、元の前記入力領域に前記入力操作を反映させる請求項１から請求項３の何れか１項記載の情報処理装置。
【請求項５】
前記入力領域表示手段は、前記タイミングが検知された場合に、前記ディスプレイに表示されている画像全体を回転させる請求項１から請求項３の何れか１項記載の情報処理装置。
【請求項６】
画像を表示するディスプレイを有する情報処理装置の入力方法であって、
ユーザによる入力操作が行われた場合に、該入力操作が行われた所定領域を、ユーザの前記入力操作を反映させる入力領域として選択する第１工程と、
ユーザによる前記入力操作の開始のタイミングを検知する第２工程と、
前記タイミングを検知した場合に、前記第１工程によって選択された前記入力領域の表示方向を予め設定した方向に変更し、前記入力領域におけるユーザによる前記入力操作が終了した場合に、前記入力領域の表示方向を元の方向に戻し、前記入力領域におけるユーザによる前記入力操作を反映させる第３工程と、
を有する入力方法。
【請求項７】
画像を表示するディスプレイを有する情報処理装置が備えるコンピュータを、
ユーザによる入力操作が行われた場合に、該入力操作が行われた所定領域を、ユーザの前記入力操作を反映させる入力領域として選択する入力領域選択手段と、
ユーザによる前記入力操作の開始のタイミングを検知するタイミング検知手段と、
前記タイミング検知手段によって前記タイミングが検知された場合に、前記入力領域選択手段によって選択された前記入力領域の表示方向を予め設定した方向に変更し、前記入力領域におけるユーザによる前記入力操作が終了した場合に、前記入力領域の表示方向を元の方向に戻し、前記入力領域におけるユーザによる前記入力操作を反映させる入力領域表示手段と、
して機能させるプログラム。
【手続補正２】
【補正対象書類名】明細書
【補正対象項目名】０００９
【補正方法】変更
【補正の内容】
【０００９】
本発明の第一態様に係る情報処理装置は、画像を表示するディスプレイを有する情報処理装置であって、ユーザによる入力操作が行われた場合に、該入力操作が行われた所定領域を、ユーザの前記入力操作を反映させる入力領域として選択する入力領域選択手段と、ユーザによる前記入力操作の開始のタイミングを検知するタイミング検知手段と、前記タイミング検知手段によって前記タイミングが検知された場合に、前記入力領域選択手段によって選択された前記入力領域の表示方向を予め設定した方向に変更し、前記入力領域におけるユーザによる前記入力操作が終了した場合に、前記入力領域の表示方向を元の方向に戻し、前記入力領域におけるユーザによる前記入力操作を反映させる入力領域表示手段と、を備える。
【手続補正３】
【補正対象書類名】明細書
【補正対象項目名】００１０
【補正方法】変更
【補正の内容】
【００１０】
本発明の第二態様に係る入力方法は、画像を表示するディスプレイを有する情報処理装置の入力方法であって、ユーザによる入力操作が行われた場合に、該入力操作が行われた所定領域を、ユーザの前記入力操作を反映させる入力領域として選択する第１工程と、ユーザによる前記入力操作の開始のタイミングを検知する第２工程と、前記タイミングを検知した場合に、前記第１工程によって選択された前記入力領域の表示方向を予め設定した方向に変更し、前記入力領域におけるユーザによる前記入力操作が終了した場合に、前記入力領域の表示方向を元の方向に戻し、前記入力領域におけるユーザによる前記入力操作を反映させる第３工程と、を有する。
【手続補正４】
【補正対象書類名】明細書
【補正対象項目名】００１１
【補正方法】変更
【補正の内容】
【００１１】
本発明の第三態様に係るプログラムは、画像を表示するディスプレイを有する情報処理装置が備えるコンピュータを、ユーザによる入力操作が行われた場合に、該入力操作が行われた所定領域を、ユーザの前記入力操作を反映させる入力領域として選択する入力領域選択手段と、ユーザによる前記入力操作の開始のタイミングを検知するタイミング検知手段と、前記タイミング検知手段によって前記タイミングが検知された場合に、前記入力領域選択手段によって選択された前記入力領域の表示方向を予め設定した方向に変更し、前記入力領域におけるユーザによる前記入力操作が終了した場合に、前記入力領域の表示方向を元の方向に戻し、前記入力領域におけるユーザによる前記入力操作を反映させる入力領域表示手段と、して機能させる。